(57)【特許請求の範囲】
【請求項１】
給紙された用紙に画像形成する画像形成装置の本体ケースと、
この本体ケース外周の一部を形成するよう当該本体ケースに下部のヒンジ機構を介して開閉可能に支持されたカバー蓋であって、このカバー蓋が閉じられた状態では前記カバー蓋の前記ヒンジ機構および上部を介して前記本体ケースに接続されるとともに、前記カバー蓋が開いた状態では下部の前記ヒンジ機構のみを介して前記本体ケースに接続された接地ラインを有するカバー蓋と、
このカバー蓋の上部に配置されるとともに前記接地ラインに接続され前記画像形成装置の動作状態を文字情報にして表示する動作表示部と、
前記カバー蓋に配置され前記画像形成装置の障害状態に応じて点灯状態で表示する障害点灯部と、
前記本体ケースからの前記カバー蓋の開閉状態を検出する開閉検出部と、
前記画像形成装置における障害状態を検出する障害検出部と、
前記画像形成装置の前記動作状態および前記障害状態に応じて前記動作表示部を表示するとともに前記障害点灯部を点灯し、前記開閉検出部が前記カバー蓋の開状態を検出したとき前記動作表示部の表示を中止する表示制御部と、
を具備することを特徴とする画像形成装置。
【請求項２】
前記障害点灯部は多色点灯する機能を有し、前記表示制御部は前記障害状態に応じて異なる色で前記障害点灯部を点灯する請求項１記載の画像形成装置。
【請求項３】
前記表示制御部は、前記障害状態である前記用紙のジャム発生箇所に応じ、予め設定された異なる色で前記障害点灯部を点灯する請求項２記載の画像形成装置。
【請求項４】
給紙された用紙に画像形成する画像形成装置の本体ケース外周の一部を形成するよう当該本体ケースに下部のヒンジ機構を介して開閉可能に支持されたカバー蓋であって、このカバー蓋が閉じられた状態では前記カバー蓋の前記ヒンジ機構および上部を介して前記本体ケースに接続されるとともに、前記カバー蓋が開いた状態では下部の前記ヒンジ機構のみを介して前記本体ケースに接続された接地ラインを有するカバー蓋と、前記カバー蓋の上部に配置されるとともに前記接地ラインに接続され前記画像形成装置の動作状態を文字情報にして表示する動作表示部と、前記カバー蓋に配置され前記画像形成装置の障害状態に応じて点灯状態で表示する障害点灯部とを有する画像形成装置の障害処理方法であって、
前記本体ケースからの前記カバー蓋の開閉状態を検出する開閉検出処理と、
前記障害状態を検出する障害検出処理と、
前記動作状態に応じて前記動作表示部を表示する動作表示処理と、
前記障害状態に応じて前記障害点灯部を点灯する障害点灯処理と、
前記開閉検出部が前記カバー蓋の開状態を検出したとき前記動作表示部の表示を中止する表示中止処理と、
を具備することを特徴とする画像形成装置の障害処理方法。
【請求項５】
前記障害点灯処理は、多色点灯する前記障害点灯部に対し、前記障害状態に応じて異なる色で点灯する請求項４記載の画像形成装置の障害処理方法。
【請求項６】
前記障害点灯処理は、前記障害状態である前記用紙のジャム発生箇所に応じ、予め設定された異なる色で前記障害点灯部を点灯する請求項５記載の画像形成装置の障害処理方法。
【発明の詳細な説明】
【技術分野】
【０００１】
本発明は画像形成装置および画像形成装置の障害処理方法に係り、プリンタ、複写機、ファクシミリ機、これらの機能を搭載した複合機（ＭＦＰ：Multi Function Peripheral）等の画像形成装置および当該画像形成装置の障害処理方法の改良に関する。
【背景技術】
【０００２】
従来、画像形成装置は、例えば外部から入力された画像データに基づき回転感光体の表面に潜像を形成し、トナーカセットから供給したトナーによってその潜像からトナー像を形成し、給紙段から給紙搬送された用紙にトナー像を回転感光体から転写し、その用紙を加熱定着部を通して転写トナーを加熱定着させて排紙する構成が良く知られている。
【０００３】
そして、この種の画像形成装置、特に小形の画像形成装置では、この本体ケースの前面部を形成するカバー蓋を当該本体ケースにヒンジ機構を介して開閉可能に連結支持させ、給紙搬送された用紙のジャム（ＪＡＭ）が発生したとき又は消耗品としてのトナーカセットの交換が必要になったとき等には、カバー蓋を開いて用紙を除去したりトナーカセットを交換している。
【０００４】
しかも、カバー蓋は、この下部を本体ケースにヒンジ機構を介して連結支持させて円弧状に開閉可能になっており、その上部に例えば液晶表示部を配置し、画像形成装置本体からの動作情報を液晶表示部に文字表示する構成にしている。
【０００５】
ところが、カバー蓋には、そのような動作情報を液晶表示部で表示するために、情報ラインに加えて接地ラインが配置されている。
【０００６】
この接地ラインは、カバー蓋が閉じられた状態では、カバー蓋の下部および上部にて画像形成装置からの接地ラインとの間で好ましい接地状態が確保される。
【０００７】
他方、カバー蓋が開いた状態では、カバー蓋の下部ヒンジ機構部を介して接地ラインが接続されるのみとなり、液晶表示部まで長い接地ラインが形成され、静電気その他ノイズを拾い易くなって外来ノイズに弱くなり、液晶表示部で誤表示が発生する心配がある。
【０００８】
従来、この種のノイズへの対策手法としては、例えば特開２００５−１６１５４９号公報（特許文献１）の記録装置が提案されている。
【０００９】
この特許文献１は、画像データを格納する記憶媒体を装着する装着手段を備え、記憶媒体から読み出した画像データを被記録媒体に対して記録ヘッドを用いて記録を行う記録装置であり、画像データを表示する表示手段と、その画像データから表示手段に表示させる表示データを生成する表示データ生成手段と、その表示手段を制御する表示制御手段と、その画像表示に不具合が生じたことを検出し、その不具合を検出した場合、表示制御手段に表示手段が表示する画像データを変更させる表示管理手段とを備え、静電気などの障害により表示しているデータが壊れ、表示画面に不具合が生じた場合に、自動的に表示画面復元を可能にしたものである。
【００１０】
さらに、特開平１１−２９６１３４号公報（特許文献２）のような表示装置の表示制御方法も提案されている。
【００１１】
この特許文献２は、異常監視手段によって異常が検出されたときは、表示素子駆動回路へのコントラスト基準電圧の印加を遮断して、表示素子の表示を消去し、その表示素子の表示の消去後に、表示素子駆動回路を初期化し、その表示素子駆動回路の初期化後に、その表示素子駆動回路が正しい表示動作を行うように制御することにより、その表示素子駆動回路が正しい表示動作を行うように制御された後に、その表示素子駆動回路へのコントラスト基準電圧の印加を再開して表示素子の表示を復活可能にしたものである。
【先行技術文献】
【特許文献】
【００１２】
【特許文献１】特開２００５−１６１５４９号公報
【特許文献２】特開平１１−２９６１３４号公報
【発明の概要】
【発明が解決しようとする課題】
【００１３】
しかしながら、上述した特許文献１では、一定周期で画面データを読み出し、前画面データと比較し差異がある場合には自動で復元するが、静電気等でデータに異常が発生してから、自動で復元するまでの一定期間に誤った表示がされる課題がある。
【００１４】
さらに、特許文献２では、異常が発生した場合、一旦初期化を行う構成であるが、同様に、一定期間誤った表示がされたり、未表示期間が発生する課題がある。
【００１５】
本発明者は、画像形成装置の動作および使用形態を注意深く観察検討した結果、動作上の障害が発生した場合、カバー蓋を開ける必要があるものの、使用者がカバー蓋の表示部を注視することは少ない一方、障害に係る表示が必要である点に着目し、本発明を完成させた。
【００１６】
本発明はそのような課題を解決するためになされたもので、必要以上のノイズ対策や静電気対策が不要で、操作性を維持向上させることの容易な画像形成装置およびこの障害処理方法の提供を目的とする。
【課題を解決するための手段】
【００１７】
そのような課題を解決するために本発明の請求項１に係る画像形成装置は、給紙された用紙に画像形成する画像形成装置の本体ケースと、この本体ケース外周の一部を形成するよう当該本体ケースに下部のヒンジ機構を介して開閉可能に支持されたカバー蓋であって、このカバー蓋が閉じられた状態ではカバー蓋のヒンジ機構および上部を介して本体ケースに接続されるとともに、そのカバー蓋が開いた状態では下部のヒンジ機構のみを介して本体ケースに接続された接地ラインを有するカバー蓋と、このカバー蓋の上部に配置されるとともに接地ラインに接続され画像形成装置の動作状態を文字情報にして表示する動作表示部と、そのカバー蓋に配置され画像形成装置の障害状態に応じて点灯状態で表示する障害点灯部と、その本体ケースからのカバー蓋の開閉状態を検出する開閉検出部と、その画像形成装置における障害状態を検出する障害検出部と、その画像形成装置の動作状態および障害状態に応じて動作表示部を表示するとともに障害点灯部を点灯し、その開閉検出部がカバー蓋の開状態を検出したとき動作表示部の表示を中止する表示制御部とを具備している。
【００１８】
本発明の請求項２に係る画像形成装置は、上記障害点灯部が多色点灯する機能を有し、上記表示制御部がその記障害状態に応じて異なる色で障害点灯部を点灯する構成を有している。
【００１９】
本発明の請求項３に係る画像形成装置は、上記表示制御部が、その障害状態である用紙のジャム発生箇所に応じ、予め設定された異なる色で障害点灯部を点灯する構成を有している。
【００２０】
本発明の請求項４に係る障害処理方法は、給紙された用紙に画像形成する画像形成装置の本体ケース外周の一部を形成するよう当該本体ケースに下部のヒンジ機構を介して開閉可能に支持されたカバー蓋であって、このカバー蓋が閉じられた状態ではカバー蓋のヒンジ機構および上部を介して本体ケースに接続されるとともに、そのカバー蓋が開いた状態では下部のヒンジ機構のみを介して本体ケースに接続された接地ラインを有するカバー蓋と、そのカバー蓋の上部に配置されるとともに接地ラインに接続され画像形成装置の動作状態を文字情報にして表示する動作表示部と、そのカバー蓋に配置され画像形成装置の障害状態に応じて点灯状態で表示する障害点灯部とを有する画像形成装置の障害処理方法である。
【００２１】
しかも、上記本体ケースからのカバー蓋の開閉状態を検出する開閉検出処理と、その障害状態を検出する障害検出処理と、その動作状態に応じて動作表示部を表示する動作表示処理と、その障害状態に応じて障害点灯部を点灯する障害点灯処理と、その開閉検出部がカバー蓋の開状態を検出したとき動作表示部の表示を中止する表示中止処理とを具備している。
【００２２】
本発明の請求項５に係る障害処理方法は、上記障害点灯処理が、多色点灯する前記障害点灯部に対し、その障害状態に応じて異なる色で点灯する構成を有している。
【００２３】
本発明の請求項６に係る画像形成装置の障害処理方法は、上記障害点灯処理が、その障害状態である用紙のジャム発生箇所に応じ、予め設定された異なる色で点灯する構成を有している。
【発明の効果】
【００２４】
このような本発明の請求項１、４に係る画像形成装置および障害処理方法では、画像形成装置の動作状態が、画像形成装置の本体ケース外周に支持されたカバー蓋の動作表示部に表示されるとともに、画像形成装置の障害状態に応じ、そのカバー蓋に配置された障害点灯部が点灯し、そのカバー蓋の開状態が検出されたとき動作表示部の表示を中止するから、必要以上のノイズ対策や静電気対策が不要で、操作性を維持向上させることが容易である。
【００２５】
本発明の請求項１、５に係る画像形成装置および障害処理方法では、その障害状態に応じ、多色点灯する障害点灯部を異なる色で点灯するから、障害点灯部の点灯色から障害状況を把握し易い。
【００２６】
本発明の請求項１、６に係る画像形成装置および障害処理方法では、その障害状態である用紙のジャム発生箇所に応じ、多色点灯する障害点灯部を異なる色で点灯するから、障害点灯部の点灯色からジャム発生状況を把握し易い。
【図面の簡単な説明】
【００２７】
【図１】本発明に係る画像形成装置の実施の形態を示すブロック図である。
【図２】本発明に係る画像形成装置を示す概略内部構成図である。
【図３】本発明に係る画像形成装置を説明する外観斜視図である。
【図４】本発明に係る画像形成装置を説明する外観斜視図である。
【図５】本発明に係る画像形成装置を説明する図である。
【図６】本発明に係る画像形成装置の動作を説明するための図である。
【図７】本発明に係る画像形成装置の動作を説明するフローチャートである。
【発明を実施するための最良の形態】
【００２８】
以下、本発明に係る画像形成装置および障害処理方法の実施の形態を図面を参照して説明する。なお、本発明に係る障害処理方法はこれを搭載した画像形成装置を説明する過程で説明する。
【００２９】
図１は、本発明に係る画像形成装置Ａの実施の形態を示すブロック図である。
【００３０】
画像形成装置Ａは、主制御部１を中心にして通信部３、記憶部５、操作パネル部７、印刷部９、開閉検出部１１および障害検出部１３を有し、例えばプリンタを構成している。なお、画像形成装置Ａは、これ以外にも構成を有するが、本発明の要旨ではないので説明および図示を省略する。
【００３１】
通信部３は、所定のプロトコルに従い、図示しないネットワークを介してコンピュータ等の情報処理装置からの画像データを受信して主制御部１に出力するインターフェース部である。
【００３２】
記憶部５は、主制御部１の制御の下、通信部３からの受信画像データを記憶する他、主制御部１の動作プログラムを記憶した読み書き可能な例えばハードディスクである。
【００３３】
操作パネル部７は、図２および図３に示すように、本体ケース１５の上部に配置され、主制御部１の制御の下、種々の動作状態を文字情報にして表示する動作表示部７ａとしての公知の液晶表示パネルと、種々の障害状態に応じて点灯状態で表示する障害点灯部７ｂとしての多色発光ダイオードと、入力部としてのタクトスイッチ７ｃ等を有している。
【００３４】
なお、図２は画像形成装置Ａの内部構成を概略的に示す概略内部構成図であり、図３は画像形成装置Ａの外観を示す外観斜視図である（図４も同様である。）。
【００３５】
本体ケース１５は、図３および図４に示すように、合成樹脂で成形加工された従来公知の本体ケース１５と、この本体ケース１５の前面部を形成するよう当該本体ケース１５にヒンジ機構２１を介して開閉可能に連結支持されたカバー蓋１７とを有して形成されており、後述するように、給紙搬送された用紙のジャムが発生したとき又は消耗品としてのトナーカセット２３の交換が必要になったとき等には、図４のようにカバー蓋１７を開いて用紙を除去したりトナーカセット２３を交換可能にしている。
【００３６】
カバー蓋１７は、本体ケース１５と同材料で成形加工されており、その上部に上述した操作パネル部７を配置しており、図５の概略図に示すように、内部にはヒンジ機構２１を介して本体ケース１５の接地ライン２５に接続された接地ライン２７を有している。接地ライン２７は、カバー蓋１７内部を上部に延びて操作パネル部７に接続されている。
【００３７】
カバー蓋１７の上部には、接地ライン２７に接続された接地接続部２７ａが形成されており、カバー蓋１７が本体ケース１５に閉じられた状態で、接地接続部２７ａが本体ケース１５の接地接続部２５ａに当接して接続するようになっている。
【００３８】
図１の印刷部９は、図２に示すように、本体ケース１５内に配置され、用紙がセットされる複数の給紙部２９ａ、２９ｂ、２９ｃ（符号２９ｃは手差しトレイである。）と、上述した画像データを印刷画像イメージデータに展開してトナーカセット２３（図２では図示省略）からのトナーでトナー現像して用紙にトナー像を転写する４色（シアン、マゼンタ、イエローおよびブラック）の転写部３１ａ、３１ｂ、３１ｃ、３１ｄと、転写部３１ａ〜３１ｄからのトナー像が中間転写される中間転写ベルト３３と、給紙部２９ａ、２９ｂから給紙された用紙に対して中間転写ベルト３３からトナー像を転写するニップ部３５と、用紙に転写されトナー像が加熱定着する定着部３７を有して形成された、画像形成部としてのカラー又はモノクロ印刷エンジンである。
【００３９】
図１の開閉検出部１１は、カバー蓋１７の当接と離反によってオンオフし、本体ケース１５に対するカバー蓋１７の開閉状態を検出するスイッチ機構部であり、カバー蓋１７が開かれてオフしたとき開状態を検出し、この検出情報を主制御部１に出力する機能を有している。
【００４０】
障害検出部１３は、例えば、印刷部９において、給紙された用紙の搬送路上での用紙ジャム発生位置を検出したりトナーカセット２３のトナー不足等の障害を検出し、これらの障害状態に対応した障害情報を主制御部１に出力する機能を有する複数のセンサ（図示せず。）である。
【００４１】
その障害情報は、例えば図２に示すように、手差しトレイ２９ｃ付近での用紙詰まりをジャムＡ、給紙段２９ａ、２９ｂ付近での用紙詰まりをジャムＢ、定着部３７用付近での紙詰まりをジャムＣ、両面印刷用の用紙反転経路付近での用紙詰まりをジャムＤとし、これらのジャム発生位置を特定するものである。
【００４２】
主制御部１は、ＣＰＵ、このＣＰＵの動作プログラムを格納したＲＯＭおよび作業用ＲＡＭ（何れも図示せず。）を有して形成されており、上述した通信部３、記憶部５、操作パネル部７、印刷部９、開閉検出部１１および障害検出部１３等を制御するとともに、画像形成装置Ａの図示しない機能部を制御している。
【００４３】
主制御部１は、画像形成装置Ａの動作状態に応じて動作表示部７ａを表示するとともに、障害検出部１３からの種々の障害情報から障害状態、すなわち障害発生位置や障害内容を解析して取得し、これら障害状態に応じて障害点灯部７ｂを点灯し、開閉検出部１１がカバー蓋１７の開状態を検出したとき、動作表示部７ａの表示を中止する表示制御部３９としての機能を有している。
【００４４】
すなわち、表示制御部３９は、障害検出部１３からの種々の障害情報から障害状態を解析し、例えば図６に示すように、印刷部９における用紙搬送路上での故障箇所としてジャムＡ、ジャムＢ、ジャムＣ、ジャムＤに対応した表示信号を出力し、ジャムＡでは青色の点滅、ジャムＢではオレンジ色の点滅、ジャムＣでは白色の点滅、ジャムＤでは紫色の点滅といったように、障害点灯部７ｂを異なる色で点滅点灯するよう表示信号を出力するようになっている。
【００４５】
なお、表示制御部３９は、障害が発生していない状態では緑色の点灯、ジャム以外の障害では赤色の点滅とともにその障害内容を示す表示信号を出力するようになっている。
【００４６】
表示制御部３９は、開閉検出部１１がカバー蓋１７の閉状態を検出した状態の下で、画像形成装置Ａの動作状態に応じ、給紙段２９ａ〜２９ｃの選択表示、印刷枚数や印刷濃度等の印刷条件の表示、印刷動作中である旨の表示、ジャム以外の障害内容を示すその他を動作情報として動作表示部７ａに出力し、文字表示の形態で表示する機能を有している。
【００４７】
表示制御部３９は、図６のように障害例に対応した表示信号に基づき、それら障害状態に応じて発光色を変更して障害点灯部７ｂを点灯する機能を有するとともに、開閉検出部１１がカバー蓋１７の開状態を検出したとき動作表示部７ａの表示を中止する機能を有している。
【００４８】
そのため、カバー蓋１７の開状態においては、動作表示部７ａが消灯され、表示が消えるようになっている。
【００４９】
次に、本発明に係る画像形成装置の使用例又はその手順を図７のフローチャートを参照して簡単に説明する。
【００５０】
画像形成装置Ａが動作して表示制御部３９が当該動作状況を動作表示部７ａに表示中において（動作表示処理）、ステップＳ１でカバー蓋１７の開状態を開閉検出部１１が検出すると（開閉検出処理）、ステップＳ２にて障害検出部１３が障害発生の有無を判別し（障害検出処理）、障害が発生していてステップＳ２がＹＥＳであれば、ステップＳ３にて表示制御部３９がジャム発生の有無を判別する。
【００５１】
ジャムが発生していてステップＳ３がＹＥＳであれば、ステップＳ４にて表示制御部３９がジャム発生箇所に応じた色で障害点灯部７ｂを点灯させるとともに動作表示部７ａの表示を消す（障害点灯処理、表示中止処理）。
【００５２】
続いて、ステップＳ５にて用紙の除去等のジャム対応処理を受け付けるとステップＳ６に移り、ステップＳ６にてジャム対応完了の有無を判別する。
【００５３】
複数箇所のジャム発生があってジャム対応が完了せずにステップＳ６がＮＯであれば、ジャム対応完了してステップＳ６がＹＥＳになるまでステップＳ４〜Ｓ６を繰り返す。
【００５４】
ジャム対応完了してステップＳ６がＹＥＳになれば、ステップＳ７にてカバー蓋１７の閉操作を待って表示制御部３９が動作表示部７ａを表示して終了する（動作表示処理）。
【００５５】
ジャムの発生がなくて上述したステップＳ３がＮＯであれば、ステップＳ８にて表示制御部３９が動作表示部７ａの表示を消すとともに障害点灯部７ｂを赤色で点灯し（表示中止処理、障害点灯処理）、続くステップＳ９にてカバー蓋１７の閉操作を待ち、動作表示部７ａの表示を確認して終了する（動作表示処理）。
【００５６】
また、障害の発生がなくて上述したステップＳ２がＮＯであれば、ステップＳ１０にて表示制御部３９が動作表示部７ａの表示を消すとともに障害点灯部７ｂを緑色で点灯し（表示中止処理、障害点灯処理）、ステップＳ７を介して終了する。
【００５７】
このような処理過程が本発明の障害処理方法を構成する。
【００５８】
このように本発明の画像形成装置Ａは、給紙された用紙に画像形成する当該画像形成装置Ａの本体ケース１５と、この本体ケース１５外周の一部を形成するよう当該本体ケース１５にヒンジ機構２１を介して開閉可能に支持されたカバー蓋１７と、このカバー蓋１７に配置され画像形成装置Ａの動作状態を文字情報にして表示する動作表示部７ａと、そのカバー蓋１７に配置され障害状態に応じて点灯状態で表示する障害点灯部７ｂと、その本体ケース１５からのカバー蓋１７の開閉状態を検出する開閉検出部１１と、その障害状態を検出する障害検出部１３と、それら動作状態および障害状態に応じて動作表示部７ａを表示するとともに障害点灯部７ｂを点灯し、その開閉検出部１１がカバー蓋１７の開状態を検出したとき動作表示部７ａの表示を中止する表示制御部３９とを具備している。
【００５９】
そのため、そのカバー蓋１７の開状態が検出されたとき、それまで動作状況が表示されていた動作表示部の表示を消すから、そのカバー蓋１７が開状態になってヒンジ機構２１のみで本体ケース１５側から接地される状態が形成され、動作表示部の表示が不安定になっても、表示に支障はない。
【００６０】
したがって、カバー蓋１７には従来以上のノイズ対策や静電気対策が不要である。
【００６１】
他方、そのカバー蓋１７の開状態であっても、障害点灯部７ｂにて障害状態に応じた点灯がなされるから、障害状態の把握や解消に寄与し、操作性を維持向上させることも容易となる。
【００６２】
なお、単なる点灯状態を形成する障害点灯部７ｂは、多少のノイズの影響を受けても、その表示に支障はない。
【００６３】
また、障害点灯部７ｂとして多色点灯する発光ダイオードを用い、画像形成装置Ａにおける用紙のジャム発生箇所に応じて異なる色で障害点灯部７ｂを点灯させるから、障害点灯部７ｂの点灯色からジャム発生状況を把握し易い。
【００６４】
なお、多色点灯する障害点灯部７ｂとしては、発光ダイオードに限定されず、種々の多色点灯素子で実施可能である。
【００６５】
もっとも、本発明の画像形成装置においては、画像形成装置Ａにおける用紙のジャム発生を障害発生とする構成に限定されず、画像形成装置Ａにおいて発生が予想される障害状態に対応可能であり、これに応じて異なる色で点灯する障害点灯部７ｂを配置すれば本発明の目的達成が可能である。
【００６６】
そして、本発明の障害処理方法は、上述した画像形成装置Ａに搭載すれば、上述した画像形成装置Ａと同様の効果を有する。
【符号の説明】
【００６７】
１  主制御部
３  通信部
５  記憶部
７  操作パネル部（表示部、入力部）
７ａ  動作表示部
７ｂ  障害点灯部
７ｃ  タクトスイッチ
９  印刷部
１１  開閉検出部
１３  障害検出部
１５  本体ケース
１７  カバー蓋
２１  ヒンジ機構
２３  回転感光体
２５、２７  接地ライン
２５ａ、２７ａ  接地接続部
２９ａ、２９ｂ  給紙段
２９ｃ  給紙段（手差しトレイ）
３１ａ、３１ｂ、３１ｃ、３１ｄ転写部
３３  中間転写ベルト
３５  ニップ部
３７  定着部
３９  表示制御部
Ａ  画像形成装置（プリンタ）
【図１】
0005388789.tif 000002
【図２】
0005388789.tif 000003
【図３】
0005388789.tif 000004
【図４】
0005388789.tif 000005
【図５】
0005388789.tif 000006
【図６】
0005388789.tif 000007
【図７】
0005388789.tif 000008